(57)【要約】      （修正有）【課題】形状が安定で係合穴を穿設せず、外観上の高級感や美的感が損なわれない。【解決手段】灯籠本体に開口させた窓部と、窓部に取着した窓枠と、窓枠にヒンジ部を介装して取着した風防枠体と、風防枠体に取着した風防と、灯明台を設け基端を風防枠体に固定した灯明台用支持片７と、灯明台用支持片に取着した上側永久磁石片８と、窓枠固定片９に取着した下側永久磁石片１０とを備え、上側永久磁石片と下側永久磁石片とは風防枠体が閉鎖されたときに引き合う、又は、反発するものである。【選択図】    図１
0003101847.tif 000002
【実用新案登録請求の範囲】
【請求項１】
円筒状の石製の灯籠本体と、該灯籠本体の側面に開口させた矩形状の窓部と、該窓部の縁部に取着した窓枠と、該窓枠の側部にヒンジ部を介装して枢動自在に取着した風防枠体と、該風防枠体に取着した風防と、該風防の閉鎖時に灯籠本体の中心辺に位置する灯明台と、該灯明台を先端に設け基端を前記風防枠体の下辺の中央に固定した灯明台用支持片と、該灯明台用支持片の下面に取着した上側永久磁石片と、前記窓枠の下辺の中央から内側に延設した窓枠固定片と、該窓枠固定片の下面に取着した下側永久磁石片とを備え、前記上側永久磁石片と下側永久磁石片とは風防を取着した風防枠体が閉鎖されたときに引き合うことを特徴する灯籠の風防閉鎖装置。
【請求項２】
円筒状の石製の灯籠本体と、該灯籠本体の側面に開口させた矩形状の窓部と、該窓部の縁部に取着した窓枠と、該窓枠の側部にヒンジ部を介装して枢動自在に取着した風防枠体と、該風防枠体に取着した風防と、該風防の閉鎖時に灯籠本体の中心辺に位置する灯明台と、該灯明台を先端に設け基端を前記風防枠体の下辺の中央に固定した灯明台用支持片と、該灯明台用支持片の下面に取着した上側永久磁石片と、前記窓枠の下辺の中央から内側に延設した窓枠固定片と、該窓枠固定片の下面に取着した下側永久磁石片とを備え、前記上側永久磁石片と下側永久磁石片とは風防を取着した風防枠体が閉鎖されたときに反発することを特徴する灯籠の風防閉鎖装置。
【考案の詳細な説明】
【０００１】
【考案の属する技術分野】
本考案は灯籠の風防閉鎖装置に関するものであり、更に、詳細には、円筒状の石製の灯籠本体の窓部に取り付けた開閉自在な風防を閉鎖状態で維持する灯籠の風防閉鎖装置に関するものである。
【０００２】
【従来技術】
従来、この種のお墓等に載置する灯籠は中に蝋燭で灯明を点火させることから、灯明が見えるように窓部を必要とするものであるが、窓部が開口状態では風によって火が消えてしまうことから、透明部材によるカバーによって覆っており、この場合、蝋燭の補充等の時にはカバーを取り外すか解放状態にしなければならなく、石製の灯籠に異質の材質のガラスや合成樹脂で形成された透明部材を着脱自在か開閉自在に取り付ける必要があるため、石やガラス、硬質の合成樹脂への穿設加工や切削加工、研削加工、付設等は手間暇と細心の注意を必要とし、高級感を維持しつつ、その取付けや開閉装置には苦渋を呈している実情である。
【０００３】
その為に、風防板に弾性体からなる係止片を設け、この係止片を開口部の周縁部に圧接させることにより、開口部の閉鎖状態が保たれるように風防板を灯籠本体に取り付けたもの（特許文献１参照）や、透明なプラスチックより形成された覆い部材の上方と下方に夫々爪を設けて、上方の爪は灯籠に穿設した係合穴に差し込み、下方の爪は窓部の下枠に掛けたもの（特許文献２参照）や、風防の両側縁部に磁石を貼り付けたもの（特許文献３参照）が開示されている。
【０００４】
【特許文献１】
登録実用新案第３０２８９６２号公報（第１図）
【特許文献２】
実開平５−７１３６８号公報（第２図）
【特許文献３】
登録実用新案第３０５４１６１号公報（第１図）
【０００５】
【解決しようとする課題】
然し乍ら、風防板に弾性体からなる係止片を設け、この係止片を開口部の周縁部に圧接させることにより、開口部の閉鎖状態が保たれるように風防板を灯籠本体に取り付けたものでは、透明のアクリル等のプラスチック材等の風防板に弾性体から成る係止片を設けているものであるが、風防板に貫通孔を穿設して、該貫通孔にビスを貫通させてナットを螺合することで係止片を固定しており、この場合、風防板の上下辺に係合するために係合用部材を形成すると共に、風防板への貫通孔の穿設、及び、ビス、ナット等のパーツ等の調達、取り付け等手間暇係る複雑な作業をしなければ成らないものであり、更には、風防は完全に取り外されてしまうもので、取り外した風防は灯明の蝋燭に点火したりするため一時的に側に置くこととなり、形状が不安定で脆性のため風等であおられ落下して割れたりすることがあった。
【０００６】
更に、透明なプラスチックより形成された覆い部材の上方と下方に夫々爪を設けて、上方の爪は灯籠に穿設した係合穴に差し込み、下方の爪は窓部の下枠に掛けたものでは、覆い部材の上方と下方に夫々一体か別部材で爪を形成しなければ成らず、加えて、石材の灯籠の上方には爪を差し込むための係合穴を穿設しなければならないものであり、更に、風防は取り外されてしまうものであった。
【０００７】
更には、風防の両側縁部に磁石を貼り付けたものでは、透明部材で形成された両側に黒い磁石が貼り付けてあるもので外観上の高級感や美的感が損なわれるものであった。
【０００８】
【課題を解決するための手段】
本考案は前述の課題に鑑み、鋭意研錯の結果、円筒状の石製の灯籠本体と、灯籠本体の側面に開口させた矩形状の窓部と、窓部の縁部に取着した窓枠と、窓枠の側部にヒンジ部を介装して枢動自在に取着した風防枠体と、風防枠体に取着した風防と、該風防の閉鎖時に灯籠本体の中心辺に位置する灯明台と、灯明台を先端に設け基端を前記風防枠体の下辺の中央に固定した灯明台用支持片と、灯明台用支持片の下面に取着した上側永久磁石片と、窓枠の下辺の中央から内側に延設した窓枠固定片と、窓枠固定片の下面に取着した下側永久磁石片とを備え、上側永久磁石片と下側永久磁石片とは風防を取着した風防枠体が閉鎖されたときに引き合う、又は、反発するものである。
【０００９】
【作用】
本考案の灯籠の風防閉鎖装置は、風防を取着した風防枠体の下辺の中央に灯明台を先端に設けた灯明台用支持片を延設し、該灯明台用支持片の下面に上側永久磁石片を取着し、窓枠の下辺の中央から内側に延設した窓枠固定片に下側永久磁石片を取着し、風防を取着した風防枠体が閉鎖されたとき上側永久磁石片と下側永久磁石片とが引き合うようにした、又は、反発するようにしたことによって、風防の閉鎖時にしっかりと閉鎖されるもので、外観的にも優れたものである。
【００１０】
従って、本考案の目的は、加工や組み付けが困難な石製の灯籠本体と透明部材であるガラスや合成樹脂とを金属である窓枠と風防枠体とを巧みに加工して、風防を取着した風防枠体が閉鎖されたとき上側永久磁石片と下側永久磁石片とが引き合うようにした又は反発するようにした灯籠の風防閉鎖装置を提供するものである。
【００１１】
【考案の実施の形態】
斯る目的を達成した本考案の灯籠の風防閉鎖装置の実施の形態を以下の図面によって説明する。
【００１２】
図１は本考案の灯籠の風防閉鎖装置の実施の形態の説明のための灯籠の側面説明図であり、図２は本考案の灯籠の風防閉鎖装置の実施の形態の説明のための灯籠の平面説明図であり、図３は本考案の灯籠の風防閉鎖装置の実施の形態の要部断面説明図であり、図４は本考案の灯籠の風防閉鎖装置の次実施の形態の要部断面説明図である。
【００１３】
本考案は灯籠の風防閉鎖装置に関するものであり、更に、詳細には、円筒状の石製の灯籠本体１の窓部１ａに取り付けた開閉自在な風防５を閉鎖状態で維持する灯籠の風防閉鎖装置に関するものであり、請求項１に記載の灯籠の風防閉鎖装置は、円筒状の石製の灯籠本体１と、該灯籠本体１の側面に開口させた矩形状の窓部１ａと、該窓部１ａの縁部に取着した窓枠２と、該窓枠２の側部にヒンジ部３を介装して枢動自在に取着した風防枠体４と、該風防枠体４に取着した風防５と、該風防５の閉鎖時に灯籠本体１の中心辺に位置する灯明台６と、該灯明台６を先端に設け基端を前記風防枠体４の下辺の中央に固定した灯明台用支持片７と、該灯明台用支持片７の下面に取着した上側永久磁石片８と、前記窓枠２の下辺の中央から内側に延設した窓枠固定片９と、該窓枠固定片９の下面に取着した下側永久磁石片１０とを備え、前記上側永久磁石片８と下側永久磁石片１０とは風防５を取着した風防枠体４が閉鎖されたときに引き合うものである。
【００１４】
更に、請求項２に記載の灯籠の風防閉鎖装置は、円筒状の石製の灯籠本体１と、該灯籠本体１の側面に開口させた矩形状の窓部１ａと、該窓部１ａの縁部に取着した窓枠２と、該窓枠２の側部にヒンジ部３を介装して枢動自在に取着した風防枠体４と、該風防枠体４に取着した風防５と、該風防５の閉鎖時に灯籠本体１の中心辺に位置する灯明台６と、該灯明台６を先端に設け基端を前記風防枠体４の下辺の中央に固定した灯明台用支持片７と、該灯明台用支持片７の下面に取着した上側永久磁石片８と、前記窓枠２の下辺の中央から内側に延設した窓枠固定片９と、該窓枠固定片９の下面に取着した下側永久磁石片１０とを備え、前記上側永久磁石片８と下側永久磁石片１０とは風防５を取着した風防枠体４が閉鎖されたときに反発するものである。
【００１５】
即ち、本考案の灯籠の風防閉鎖装置の灯籠本体１の実施の形態では、通常、お墓等の両側に載置する一対のもので、不燃性と高級感を醸し出すために石製で作られた円筒状のもので、下方は安定して載置できるよう拡径させているもので、上方の開口は傘部で閉蓋しているものである。
【００１６】
そして、窓部１ａは円筒状の灯籠本体１の側面に矩形状に且つ比較的大きく開口させたものであり、後述する灯明台６に立てた蝋燭に点火した灯明で外を照らしたり外部から灯明を目視するためのものであり、更には、点灯する蝋燭を補充したり点火したりするためのものである。
【００１７】
次いで、窓枠２は窓部１ａと同形状の内側縁部を形成し若干巾の平板状の枠部を有して金属で形成された矩形状のものであり、実施の形態では灯籠本体１の窓部１ａの上辺をＵ字状に切欠き内側にあて金をあてがって螺孔を設けてビス２ａで止めており、下辺は後述する窓枠２の下辺の中央から内側に延設した窓枠固定片９に螺孔を設けてビス９ａで止めているものである。
【００１８】
次に、風防枠体４は窓枠２を覆う略同形状のもので、上下の枠部は断面Ｌ字状に形成し若干の厚みを見せるようにしており、後述する風防５を内側から嵌め込むものあり、窓枠２の側部に間隔を有して２カ所にヒンジ部３を介装して枢動自在に取着しているもので、ヒンジ部３は汎用のもので軸体を上下方向に配して、窓枠２と風防枠体４とに夫々軸受けを設けることで枢動自在に取着しているものである。
【００１９】
更に、風防５は高級感を醸し出すために、中央部を膨出させ蓮等の模様をサンドブラスト加工等で浮き出しているガラス製のものであり、風防枠体４に複数の爪部を突設させて、複数の爪部を折曲させることで取着しているものである。
【００２０】
更には、灯明台６は風防５の閉鎖時に灯籠本体１の中心辺に位置するものであり、風防枠体４から延設した後述する灯明台用支持片７の先端に設けられ、下方はカップ状の蝋燭の垂れ流し受皿が設けられ、受皿の中心には蝋燭を立てるための針と、蝋燭を外から支えるコイル状の支え部材を立設しているものである。
【００２１】
次には、灯明台用支持片７は風防枠体４の下辺の中央に基端を溶着等の手段で固定し、先端側が灯籠本体１の窓部１ａに突入するようにＬ字状に折曲させ先端には灯明台６を取り付けているものである。
【００２２】
次に、上側永久磁石片８は灯明台用支持片７の下面に取着しているもので、風防５を取着した風防枠体４が閉鎖時に灯籠本体１の窓部１ａの内周辺に位置するように接着、溶着等の手段で取着しているものである。
【００２３】
そして、窓枠固定片９は窓枠２の下辺の中央から内側に一体に延設し、先端辺を下方に直角に折曲させて、ビス孔を設けて灯籠本体１の窓部１ａの内側にビス９ａの先端を当接することで螺子止めしているものである。
【００２４】
更に、下側永久磁石片１０は窓枠固定片９の灯籠本体１の窓部１ａの内周辺に位置するように接着、溶着等の手段で取着しているものである。
【００２５】
加えて、次実施の形態では、図４に図示する如く、上側永久磁石片８は灯明台用支持片７の下面の中心方向に取着しているもので、下側永久磁石片１０の取着されている位置とをずらせて取着しているものであり、つまり、風防５を取着した風防枠体４を解放位置から閉鎖位置に枢動させると、上側永久磁石片８と下側永久磁石片１０とが上下に有るときは引き合い、その状態から更に枢動させると上側永久磁石片８と下側永久磁石片１０とが反発し合うものであり閉鎖状態を良好に維持できるものである。
【００２６】
つまり、本考案の灯籠の風防閉鎖装置は、風防５を取着した風防枠体４が閉鎖されたときに上側永久磁石片８と下側永久磁石片１０とが引き合うように又反発するようにしたものであり、風防５の閉鎖時には上側永久磁石片８と下側永久磁石片１０とが確り引き合い又は反発し合い不用意に解放することが無く、解放は手で風防枠体４の側部を枢動させるように力を加えるだけで容易に解放するものであり、風防５の解放に伴い灯明台６も灯籠本体１から外に出ることで蝋燭の補充、点火等が容易に行えるものである。
【００２７】
【考案の効果】
本考案の灯籠の風防閉鎖装置は、風防を取着した風防枠体の下辺の中央に灯明台を先端に設けた灯明台用支持片を延設し、該灯明台用支持片の下面に上側永久磁石片を取着し、窓枠の下辺の中央から内側に延設した窓枠固定片に下側永久磁石片を取着し、風防を取着した風防枠体が閉鎖されたとき上側永久磁石片と下側永久磁石片とが引き合うようにしたことによって、風防の閉鎖時に確りと閉鎖されるもので、不用意に解放することが無く、解放は手で風防枠体の側部を枢動させるように力を加えるだけで容易に解放し、風防の解放に伴い灯明台も灯籠本体から外に出ることで蝋燭の補充、点火等が容易に行えるものであり、更には、加工や組み付けが困難な石製の灯籠本体と透明部材であるガラスや合成樹脂には極力加工避け、金属である窓枠と風防枠体とを巧みに加工して、高級感が損ねることないものであり、画期的で実用性の高い考案である。
【図面の簡単な説明】
【図１】図１は本考案の灯籠の風防閉鎖装置の実施の形態の説明のための灯籠の側面説明図である。
【図２】図２は本考案の灯籠の風防閉鎖装置の実施の形態の説明のための灯籠の平面説明図である。
【図３】図３は本考案の灯籠の風防閉鎖装置の実施の形態の要部断面説明図である。
【図４】図４は本考案の灯籠の風防閉鎖装置の次実施の形態の要部断面説明図である。
【符号の説明】
１      灯籠本体
１ａ    窓部
２      窓枠
２ａ    ビス
３      ヒンジ部
４      風防枠体
５      風防
６      灯明台
７      灯明台用支持片
８      上側永久磁石片
９      窓枠固定片
９ａ    ビス
１０    下側永久磁石片
【図１】
0003101847.tif 000003
【図２】
0003101847.tif 000004
【図３】
0003101847.tif 000005
【図４】
0003101847.tif 000006